(57)【特許請求の範囲】
【請求項１】
鋼帯のループセクションに配置されている支持ロールを取り替える際に用いる可搬組立式のロール取替台車であって、ループセクションのループカーが走行するレール上を走行する左右一対のサイドフレームと、該左右一対のサイドフレーム上に立設された門型フレームと、該門型フレームの上フレームに支持されて、レール延設方向と直交する水平方向にスライド可能となった吊りビームと、該吊りビームに設置されて、その設置位置がレール延設方向と直交する水平方向にスライド可能となったチェーンブロックと、前記サイドフレームに設置されて、支持ロールを搭載可能なロール受けアームと、前記サイドフレームを前記レールに固定するサイドフレームロック機構と、前記吊りビームのスライド位置をロックする吊りビームスライドロック機構と、前記チェーンブロックのスライド位置をロックするチェーンブロックスライドロック機構とを備えていることを特徴とするループセクションのロール取替台車。
【発明の詳細な説明】
【技術分野】
【０００１】
本発明は、鋼帯の連続酸洗設備等のループセクションに配置されている支持ロールを取り替える際に用いるロール取替台車に関するものである。
【背景技術】
【０００２】
鋼帯の連続酸洗設備は、熱間圧延されたコイル状の鋼帯を受け入れてペイオフリールで巻き戻し、その先端を先行鋼帯の尾端と溶接機で溶接して連続供給する入側設備と、酸洗槽に供給する鋼帯を階層構造のループセクションにて水平方向に往復するループ状にして溜め込んでから、酸洗槽に供給して酸洗する中央設備と、酸洗された鋼帯の幅端部をサイドトリマーでトリミングしてからテンションリールで巻き取る出側設備とからなっている（例えば、特許文献１参照）。
【０００３】
その際に、図３、図４に示すように、上記のループセクション３では、溶接機２で鋼帯１を溶接している間、ループカー１１がレール１２上を前後進することで、鋼帯１をループセクション３から払い出したり、ループセクション３内に溜め込んだりして、酸洗槽４に供給される鋼帯１を停止させないようにしている。
【０００４】
そして、ループセクション３内には、水平方向に往復してループ状になった鋼帯１を支持するための支持ロール１５として、ループ状の鋼帯１の上板１ａを支持するスイングロール１６と、下板１ｂを支持するサポートロール１７とが多数（例えば、それぞれ１００本ずつ）配置されている。
【先行技術文献】
【特許文献】
【０００５】
【特許文献１】特開２００５−３３４９４９号公報
【発明の概要】
【発明が解決しようとする課題】
【０００６】
上記のようなループセクション３において、支持ロール１５（スイングロール１６、サポートロール１７）を取り替える際は、ループセクション３が複数階の階層構造であるため、天井クレーンが使用できず、支持ロール１５の本数も多いことから、適切な吊り上げ装置がなく、支持ロール１５を人力とチェーンブロックの合吊り作業で、支持ロール１５の取り外しと引き出しを行わなければならず、作業性が悪く、危険な作業であった。
【０００７】
すなわち、支持ロール１５の取り替えを行う際には、支持ロール１５の取り外し作業と引き出し作業に使用するチェーンブロックを高所に設置する際に、作業員が転落の危険があった。また、支持ロール１５の吊り出し作業の際に、作業員がチェーンブロックを掛け替えて行うため、吊り荷（支持ロール１５）が振れて挟圧の危険があった。
【０００８】
本発明は、上記のような事情に鑑みてなされたものであり、鋼帯の連続酸洗設備等のループセクションに配置されている支持ロールを取り替える際に、安全で作業性良く支持ロールを取り替えることができるロール取替台車を提供することを目的とするものである。
【課題を解決するための手段】
【０００９】
上記課題を解決するために、本発明は以下の特徴を有する。
【００１０】
［１］鋼帯のループセクションに配置されている支持ロールを取り替える際に用いる可搬組立式のロール取替台車であって、ループセクションのループカーが走行するレール上を走行する左右一対のサイドフレームと、該左右一対のサイドフレーム上に立設された門型フレームと、該門型フレームの上フレームに支持されて、レール延設方向と直交する水平方向にスライド可能となった吊りビームと、該吊りビームに設置されて、その設置位置がレール延設方向と直交する水平方向にスライド可能となったチェーンブロックと、前記サイドフレームに設置されて、支持ロールを搭載可能なロール受けアームと、前記サイドフレームを前記レールに固定するサイドフレームロック機構と、前記吊りビームのスライド位置をロックする吊りビームスライドロック機構と、前記チェーンブロックのスライド位置をロックするチェーンブロックスライドロック機構とを備えていることを特徴とするループセクションのロール取替台車。
【発明の効果】
【００１１】
本発明においては、鋼帯の連続酸洗設備等のループセクションに配置されている支持ロールを取り替える際に、安全で作業性良く支持ロールを取り替えることができる。すなわち、支持ロールの取り替え作業において、転落や挟圧を防止し、取り替え時間の短縮および作業人員の削減を図ることが可能となる。
【図面の簡単な説明】
【００１２】
【図１】本発明の一実施形態に係るロール取替台車を示す斜視図である。
【図２】本発明の一実施形態に係るロール取替台車の作業状態を示す斜視図である。
【図３】鋼帯の連続酸洗設備におけるループセクションを示す図である。
【図４】鋼帯の連続酸洗設備におけるループセクションの細部を示す図である。
【発明を実施するための形態】
【００１３】
本発明の一実施形態を図面に基づいて説明する。
【００１４】
図１は、本発明の一実施形態に係るロール取替台車２０を示す斜視図である。なお、ここでは、図３、図４に示した、鋼帯の連続酸洗設備のループセクション３に配置されているサポートロール１７を取り替える場合を例にして述べる。
【００１５】
図１に示すように、この実施形態に係るロール取替台車２０は、ループセクション３のループカー１１が走行するレール１２上を車輪２２で走行する左右一対のサイドフレーム２１と、その左右一対のサイドフレーム２１上に立設された門型フレーム２３と、その門型フレーム２３の上フレーム２４に支持されて、レール１２の延設方向と直交する水平方向（左右方向）にスライド可能となった吊りビーム２５と、その吊りビーム２５に設置されて、その設置位置がレール１２の延設方向と直交する水平方向（左右方向）にスライド可能となったチェーンブロック３１と、サイドフレーム２１に設置されて、サポートロール１７を搭載可能なロール受けアーム３３と、ロール取替台車２０を停車した際にサイドフレーム２１をレール１２に固定するサイドフレームロック機構３５と、吊りビーム２５のスライド位置をロックする吊りビームスライドロック機構３６と、チェーンブロック３１のスライド位置をロックするチェーンブロックスライドロック機構３７とを備えている。なお、図１中の２６は門型フレーム２３のブレース材である。
【００１６】
そして、このロール取替台車２０は、運搬可能になったフレームおよび各部品を差し込み嵌め合い方式で組み立てる可搬組立式になっていて、各部品をループセクション３に搬入して、その場で工具を用いることなく短時間で組み立てることができるようになっている。
【００１７】
そして、図２は、このロール取替台車２０を用いて、サポートロール１７の取り替え作業（取り外し作業）を行っている状態を示す斜視図である。
【００１８】
図２に示すように、ロール取替台車２０を所定の作業位置に停車して、サイドフレームロック機構３５によってサイドフレーム２１をレール１２に固定した後、チェーンブロック３１で既設のサポートロール１７を吊り上げ、吊りビーム２５のスライドとチェーンブロック３１のスライドによる２段スライド機構によって、吊り上げたサポートロール１７を引き出す。その際に、吊りビームスライドロック機構３６によって吊りビーム２５のスライド位置を固定し、チェーンブロックスライドロック機構３７によってチェーンブロック３１のスライド位置を固定する。
【００１９】
これによって、安定した状態で、サポートロール１７の取り替え作業（取り外し作業）を行うことが可能となる。
【００２０】
なお、上記で取り外した既設のサポートロール１７があった個所に設置する新規のサポートロール１７については、予め、前述した吊りビーム２５のスライドとチェーンブロック３１のスライドによる２段スライド機構を用いて、ロール受けアーム３３上に搭載しておき、既設の支持ロール１７を取り外した後、チェーンブロック３１を用いて、ロール受けアーム３３上から既設のサポートロール１７があった個所に移す。
【００２１】
これによって、その都度、新規のサポートロール１７を取りに行くことが不要になり、作業時間を短縮することが可能となる。
【００２２】
このようにして、この実施形態においては、ループセクション３に配置されているサポートロール１７を取り替える際に、安全で作業性良くサポートロール１７を取り替えることができる。すなわち、サポートロール１７の取り替え作業において、転落や挟圧を防止し、取り替え時間の短縮および作業人員の削減を図ることが可能となる。
【００２３】
なお、この実施形態では、鋼帯の連続酸洗設備のループセクション３に設置されているサポートロール１７を取り替える場合を例にして述べたが、同じくスイングロール１６を取り替える場合も同様にして実施することができる。また、他の設備のループセクションにおいても適用することができる。
【符号の説明】
【００２４】
１  鋼帯
１ａ  上板
１ｂ  下板
２  溶接機
３  ループセクション
４  酸洗槽
１１  ループカー
１２  レール
１５  支持ロール
１６  スイングロール
１７  サポートロール
２０  ロール取替台車
２１  サイドフレーム
２２  車輪
２３  門型フレーム
２４  上フレーム
２５  吊りビーム
２６  ブレース材
３１  チェーンブロック
３３  ロール受けアーム
３５  サイドフレームロック機構
３６  吊りビームスライドロック機構
３７  チェーンブロックスライドロック機構
【図１】
0005659986.tif 000002
【図２】
0005659986.tif 000003
【図３】
0005659986.tif 000004
【図４】
0005659986.tif 000005